(57)【特許請求の範囲】
【請求項１】
抽斗体と、
この抽斗体を引き出し可能に納める収納体と、
抽斗体の収納体への収納状態において抽斗体の上面側と収納体の上部内面との間に納められるホルダ手段とを有しており、
ホルダ手段は、
抽斗体に回動可能に組み付けられると共に、上方より飲料容器を受け入れる保持空所を備えた主ホルダ体と、
抽斗体の収納状態において伏倒して収納体に納まるように主ホルダ体における抽斗体の引き出し後端側において主ホルダ体に回動可能に組み付けられたアーム体と、
抽斗体の収納状態において伏倒しているアーム体と抽斗体の上面との間に納まるようにこのアーム体に回動可能に組み付けられた副ホルダ体と、
抽斗体の引き出し操作に伴って主ホルダ体をこの抽斗体の引き出し前端側にある主ホルダ体の端部を上昇させるように傾動させる第一の付勢手段と、
抽斗体の引き出し操作に伴ってアーム体を所定の起立位置まで回動させる第二の付勢手段と、
抽斗体の引き出し操作に伴って起立されるアーム体における抽斗体の引き出し前端側に向けられた面から離れ出す向きに副ホルダ体を回動させる第三の付勢手段とを備えており、
抽斗体の収納体からの引き出し状態において、主ホルダ体の保持凹所への飲料容器の受け入れに伴って飲料容器の側部に第三の付勢手段の付勢によって副ホルダ体が押し当てられる構成としてあることを特徴とするカップホルダー装置。
【請求項２】
抽斗体の収納体からの引き出し状態において、副ホルダ体の先端部と、抽斗体の引き出し前端側にある主ホルダ体の保持凹所の内側部とが、ほぼ同じ高さに位置されるようにしてあることを特徴とする請求項１記載のカップホルダー装置。
【請求項３】
抽斗体の引き出し状態において起立されたアーム体と副ホルダ体とがなす角度が、引き出し状態にある抽斗体を収納体に押し込み操作することに伴って収納体の引き出し開放部に突き当たってアーム体が伏倒された際に、第三の付勢手段の付勢に抗する向きに副ホルダ体を回動させるようにこの副ホルダ体の先端部を抽斗体の上面に突き当てさせる角度としてあることを特徴とする請求項１又は請求項２記載のカップホルダー装置。
【発明の詳細な説明】
【０００１】
【発明の属する技術分野】
この発明は、自動車の室内などに備え付けられて、この室内などで飲料の用に供される各種の飲料容器を、起立状態に保持するために用いられるカップホルダー装置の改良に関する。
【０００２】
【従来の技術】
リテーナと、このリテーナに引き出し可能に納められるトレーと、このリテーナの引き出し状態において傾動されるホルダ部材と、ホルダ部材の前端側にホルダ面を向けるようにトレーの引き出しに伴って起立されるサポート部材とを備えた車両用カップホルダが開示されている。（特許公報所載の特許番号第２７９４３８９号参照）
【０００３】
【発明が解決しようとする課題】
しかるに、かかる従来のカップホルダにあっては、サポート部材の起立位置が一定となっているため、径の異なる種種の飲料容器の側部にそれぞれ、サポート部材のホルダ面を押し当てさせることができず、この結果、径の異なる種種の飲料容器をそれぞれガタつきなく保持させ難いものであった。
【０００４】
ここで、かかる従来のカップホルダにおけるサポート部材を、常時、そのサポート面を下方に向けさせる向きに付勢するようにすれば、径の異なる種種の飲料容器の側部にそれぞれサポート部材のホルダ面を押し当てさせるようにすることはできるが、このようにしてしまうと、サポート部材を前記付勢に抗して起立方向に立ち上げるようにしながらホルダ部材のホルダ孔に飲料容器を入れ込まなければならなくなる。
【０００５】
そこでこの発明は、この種のカップホルダー装置において、径の異なる種種の飲料容器を上方から受け入れ保持させやすく、かつ、安定的に保持できるようにすることを主たる目的とする。
【０００６】
【課題を解決するための手段】
前記目的を達成するために、請求項１記載の発明にあっては、カップホルダー装置を以下の（１）ないし（１０）の構成を備えたものとした。
（１）抽斗体と、
（２）この抽斗体を引き出し可能に納める収納体と、
（３）抽斗体の収納体への収納状態において抽斗体の上面側と収納体の上部内面との間に納められるホルダ手段とを有しており、
（４）ホルダ手段は、
抽斗体に回動可能に組み付けられると共に、上方より飲料容器を受け入れる保持空所を備えた主ホルダ体と、
（５）抽斗体の収納状態において伏倒して収納体に納まるように主ホルダ体における抽斗体の引き出し後端側において主ホルダ体に回動可能に組み付けられたアーム体と、
（６）抽斗体の収納状態において伏倒しているアーム体と抽斗体の上面との間に納まるようにこのアーム体に回動可能に組み付けられた副ホルダ体と、
（７）抽斗体の引き出し操作に伴って主ホルダ体をこの抽斗体の引き出し前端側にある主ホルダ体の端部を上昇させるように傾動させる第一の付勢手段と、
（８）抽斗体の引き出し操作に伴ってアーム体を所定の起立位置まで回動させる第二の付勢手段と、
（９）抽斗体の引き出し操作に伴って起立されるアーム体における抽斗体の引き出し前端側に向けられた面から離れ出す向きに副ホルダ体を回動させる第三の付勢手段とを備えており、
（１０）抽斗体の収納体からの引き出し状態において、主ホルダ体の保持凹所への飲料容器の受け入れに伴って飲料容器の側部に第三の付勢手段の付勢によって副ホルダ体が押し当てられる構成としてある。
【０００７】
かかる構成によれば、
（１）抽斗体を引き出し操作することに伴って、第一の付勢手段によって主ホルダ体を、この主ホルダ体における抽斗体の引き出し前端側にある端部を上昇させる向きに、回動させることができる。
（２）また、このように抽斗体を引き出し操作することに伴って、第二の付勢手段によってアーム体を、所定の起立位置まで回動させることができる。
（３）また、抽斗体を引き出し操作することに伴って起立されるアーム体における抽斗体の引き出し前端側に向けられた面から離れ出す向きに、第三の付勢手段によって副ホルダ体を回動させることができる。
（４）アーム体は、主ホルダ体における抽斗体の引き出し後端側において主ホルダ体に組み付けられており、かつ、抽斗体の引き出し操作に伴って起立されて、アーム体における抽斗体の引き出し前端側に向けられた面と主ホルダ体における抽斗体の引き出し前端側にある保持空所の内側部との間に前記第二の付勢手段によって常時一定の間隔が形成される。そして、副ホルダ体は、このように起立されたアーム体における抽斗体の引き出し前端側に向けられた面から前記第三の付勢手段によって常時離れ出す向きに付勢されると共に、主ホルダ体の保持空所への飲料容器の受け入れに伴って飲料容器の側部に第三の付勢手段の付勢によって押し当てられるように主ホルダ体の保持空所内に突き出される。
（５）これにより、この実施の形態にあっては、保持空所に対し上方から受け入れられる飲料容器を、このように受け入れられる飲料容器の底に突き当てられる抽斗体の上面と、この受け入れに伴ってこのように受け入れられる飲料容器によって前記第三の付勢手段の付勢に抗する向きに回動された状態でこの飲料容器の側部に押し当てられる副ホルダ体と、主ホルダ体における抽斗体の引き出し前端側にある保持空所の内側部とによって、起立状態で安定的に支持することができる。
（６）すなわち、この実施の形態にかかるカップホルダー装置によれば、副ホルダ体が第三の付勢手段によって前記抽斗体の引き出し状態において常時上向きに付勢されていることから、保持空所の上方から、この保持空所内にこの副ホルダ体を第三の付勢手段の付勢に抗する向きに押し込ませながらスムースに飲料容器を入れ込ませることができる。また、外径の異なる各種の飲料容器を、それぞれ適切に保持することができる。
【０００８】
また、請求項２記載の発明にあっては、請求項１記載のカップホルダー装置における抽斗体の収納体からの引き出し状態において、副ホルダ体の先端部と、抽斗体の引き出し前端側にある主ホルダ体の保持空所の内側部とが、ほぼ同じ高さに位置されるようにしてあることを特徴としている。
【０００９】
かかる構成によれば、保持空所に上方から受け入れられる飲料容器を、抽斗体の引き出し前端側と引き出し後端側とにおいてほぼ同じ位置前後から挟み付けることができ、飲料容器を安定的に保持することができる。
【００１０】
また、請求項３記載の発明にあっては、請求項１又は請求項２記載のカップホルダー装置における抽斗体の引き出し状態において起立されたアーム体と副ホルダ体とがなす角度が、引き出し状態にある抽斗体を収納体に押し込み操作することに伴って収納体の引き出し開放部に突き当たってアーム体が伏倒された際に、第三の付勢手段の付勢に抗する向きに副ホルダ体を回動させるようにこの副ホルダ体の先端部を抽斗体の上面に突き当てさせる角度としてあることを特徴としている。
【００１１】
かかる構成によれば、引き出し状態にある抽斗体を押し込み操作することに伴って、伏倒されるアーム体と抽斗体の上面との間に副ホルダ体が納められるように、前記第三の付勢手段の付勢に抗する向きに副ホルダ体をスムースに回動させることができる。
【００１２】
【発明の実施の形態】
以下、図１ないし図２１に基づいて、この発明の典型的な実施の形態について説明する。
【００１３】
なお、ここで図１ないし図４は、この実施の形態にかかるカップホルダー装置の使用の仕方を理解しやすいように、抽斗体１を引き出させた状態のカップホルダー装置（図１）、および、このように抽斗体１を引き出させて飲料容器Ｙを保持させた状態のカップホルダー装置（図２ないし図４）をそれぞれ斜視の状態として表している。
【００１４】
また、図５ないし図９は、抽斗体１を引き出させた状態のカップホルダー装置をそれぞれ表しており、また、図１０ないし図１２は、この状態のカップホルダー装置の要部をそれぞれ表している。
【００１５】
また、図１３は、図１２と同様の位置におけるカップホルダー装置の要部を、抽斗体１を収納体２に押し込ませ操作している状態において表している。
【００１６】
また、図１４および図１５は、抽斗体１を収納体２に収納させた状態におけるカップホルダー装置の構成の概要をそれぞれ表している。
【００１７】
また、図１６は、主ホルダ体３０とアーム体３１とを分離して表しており、また、図１７および図１８は、主ホルダ体３０をそれぞれ表している。
【００１８】
また、図１９ないし図２１はそれぞれ、アーム体３１と副ホルダ体３２とを分離して表している。
【００１９】
この実施の形態にかかるカップホルダー装置は、自動車の室内などに備え付けられて、この室内などで飲料の用に供される各種の飲料容器Ｙを、起立状態に保持するために用いられるものである。
【００２０】
かかる飲料容器Ｙとしては、図２に示されるようなカップや、図３に示されるよなジュース缶、図４に示されるようなペットボトルなどを予定するものである。
【００２１】
そして、かかるカップホルダー装置は、外径の異なる各種の飲料容器Ｙを、それぞれ適切に保持できる機能を備えている。（図２ないし図４参照）
【００２２】
また、かかるカップホルダー装置は、自動車の室内に備え付けられる場合にあっては、典型的には、インストルメントパネルやセンターコンソール等の内方に後述する収納体２を内蔵させると共に、飲料容器Ｙを保持させる必要が生じた場合にはこの収納体２内から後述する抽斗体１をインストルメントパネルなどの外方に引き出させ、このように引き出させた抽斗体１上において前記飲料容器Ｙを起立状態に保持させるように利用されるものである。
【００２３】
すなわち、この実施の形態にかかるカップホルダー装置は、
（１）抽斗体１と、
（２）この抽斗体１を引き出し可能に納める収納体２と、
（３）抽斗体１の収納体２への収納状態において抽斗体１の上面１０側と収納体２の上部２０内面との間に納められるホルダ手段３とを有している。
【００２４】
（収納体２）
この実施の形態にあっては、収納体２は、扁平なケーシング状をなすように構成されている。すなわち、かかる収納体２は、幅広の上部２０と幅広の下部２１とを有すると共に、前面側を抽斗体１の引き出し開放部２２とするように構成されている。そして、かかる収納体２は、このように構成される上部２０を上方に向けた横向きの状態で、インストルメントパネルなどの内方に備え付けられる構成とされている。また、かかる収納体２は、抽斗体１の引き出し方向に沿った一対の側部２３、２３を有している。
【００２５】
（抽斗体１）
この実施の形態にあっては、抽斗体１は、収納体２の内部に前記引き出し開放部２２より納め入れられる幅と長さを備えたトレイ状に構成されている。すなわち、かかる抽斗体１は、この抽斗体１の引き出し方向に沿った一対の側板部１１、１１と、この一対の側板部１１、１１間に亙る底板部１２と、収納体２への収納状態においてこの収納体２の前記引き出し開放部２２を塞ぐ大きさの前板部１３とを備えている。
【００２６】
この抽斗体１の一対の側板部１１、１１の外面間の寸法は、収納体２の両側部２３、２３の内面間の寸法よりもやや小さく、また、抽斗体１の底板部１２の下面から側板部１１の上端までの寸法は、収納体２の上部２０内面と下部２１内面との間の間隔よりもやや小さくなるようにしてある。また、前板部１３は、収納体２の引き出し開放部２２から内側に入り込まない大きさにしてあり、この前板部１３の裏面が引き出し開放部２２の開口縁に突き当たった押し込み位置が抽斗体１の完全収納位置となるようにしてある。
【００２７】
そして、この抽斗体１の収納状態において、後述するホルダ手段３が折り畳み状に抽斗体１の上面１０（つまり、底板部１２の上面）と収納体２の上部２０内面との間に納められるようにしてある。（図１５）
【００２８】
（収納体２と抽斗体１）
この実施の形態にあっては、収納体２の上部２０に、抽斗体１の引き出し後端側１５の上部に形成された弾性爪１６が、この抽斗体１を所定位置まで引き出した状態において弾発して入り込む掛合窓２４が形成されており、この掛合窓２４に弾性爪１６が掛合された位置が抽斗体１を引き出しきった位置となるようにしてある。
【００２９】
また、抽斗体１の引き出し後端側１５の両側部にはそれぞれ、湾曲外側にある面を収納体２の側部内面に弾性的に摺接させる弾性湾曲片１７が設けられている。また、収納体２の側部には、抽斗体１を引き出しきった位置で、この弾性湾曲片１７の一部が弾発して入り込む窓穴２５が形成されている。
【００３０】
（ホルダ手段３）
ホルダ手段３は、
（１）抽斗体１に回動可能に組み付けられると共に、上方より飲料容器Ｙを受け入れる保持空所３０ａを備えた主ホルダ体３０と、
（２）抽斗体１の収納状態において伏倒して収納体２に納まるように主ホルダ体３０における抽斗体１の引き出し後端側１５において主ホルダ体３０に回動可能に組み付けられたアーム体３１と、
（３）抽斗体１の収納状態において伏倒しているアーム体３１と抽斗体１の上面１０との間に納まるようにこのアーム体３１に回動可能に組み付けられた副ホルダ体３２と、
（４）抽斗体１の引き出し操作に伴って主ホルダ体３０をこの抽斗体１の引き出し前端側１４にある主ホルダ体３０の端部を上昇させるように傾動させる第一の付勢手段４と、
（５）抽斗体１の引き出し操作に伴ってアーム体３１を所定の起立位置まで回動させる第二の付勢手段５と、
（６）抽斗体１の引き出し操作に伴って起立されたアーム体３１における抽斗体１の引き出し前端側１４に向けられる面３１ａから離れ出す向きに副ホルダ体３２を回動させる第三の付勢手段６とを備えている。
【００３１】
主ホルダ体３０の回動軸線、アーム体３１の回動軸線、および、副ホルダ体３２の回動軸線は、いずれも、抽斗体１の引き出し方向にほぼ直交する向きに配されている。
【００３２】
（主ホルダ体３０）
主ホルダ体３０は、この実施の形態にあっては、内側を飲料容器Ｙの保持空所３０ａとする枠状をなすように構成されている。
【００３３】
具体的には、かかる主ホルダ体３０は、
（１）抽斗体１の両側板部１１、１１の内面間に納まる幅を備えるように構成された基部３０ｂと、
（２）抽斗体１の両側板部１１、１１の内面間に納まる幅を備えるように構成されると共に、抽斗体１の引き出し後端側１５にある両端部をそれぞれ前記基部３０ｂに一体に連接させたＵ字状部３０ｃとを備えている。
【００３４】
そして、かかる主ホルダ体３０は、前記基部３０ｂにおいて抽斗体１に回動可能に組み付けられている。
【００３５】
具体的には、この実施の形態にあっては、前記基部３０ｂにおける前記Ｕ字状部３０ｃとの連接位置とこの基部３０ｂの最後端との間においてこの基部３０ｂに形成された軸穴３０ｄと、抽斗体１の側板部１１に形成された軸穴（図示は省略する。）とにシャフト３０ｅを差し通すことによって、抽斗体１に主ホルダ体３０が回動可能に組み付けられている。
【００３６】
また、この実施の形態にあっては、主ホルダ体３０の回動は、主ホルダ体３０を横向きに配した伏倒位置から、前記基部３０ｂの最後端が抽斗体１の底板部１２の内面に突き当てられる位置までの間でなされるようにしてあり、収納体２への抽斗体１の収納状態において伏倒されている主ホルダ体３０はこの抽斗体１の引き出し操作に伴って前記第一の付勢手段４によって斜めに立ち上がるように回動されるようになっている。
【００３７】
なお、この実施の形態にあっては、主ホルダ体３０の前記基部３０ｂにおける回動組み付け位置と最後端との間にある下部に、この主ホルダ体３０が立ち上がり切った位置において抽斗体１の底板部１２に形成された孔１８を通じて収納体２の下部に形成された突部２６の下方に抽斗体１の引き出し後端側１５から入り込んで引っかかる突部３０ｆが形成されている。（図９）
【００３８】
また、この実施の形態にあっては、主ホルダ体３０の基部３０ｂの両側部にはそれぞれ、主ホルダ体３０の内方に向かって窪んだ凹所３０ｇが形成されていると共に、この凹所３０ｇ内にはこの凹所３０ｇの内奥部から抽斗体１の側板部の内面に向けて突き出す円柱状部３０ｈが形成されている。
【００３９】
そして、この実施の形態にあっては、基部３０ｂに形成された軸穴３０ｄが、かかる円柱状部３０ｈを貫通するようにして設けられている。
【００４０】
そして、この実施の形態にあっては、かかる円柱状部３０ｈをバネ巻回部の内側に納め入れるようにしてこの円柱状部３０ｈに備えさせられたねじりコイルバネ４０によって、抽斗体１の引き出し操作に伴って主ホルダ体３０が斜めに立ち上がるようにしている。すなわち、この実施の形態にあっては、かかるねじりコイルバネ４０が前記第一の付勢手段４として機能するようにしてある。
【００４１】
具体的には、この実施の形態にあっては、このねじりコイルバネ４０は、バネ下端を抽斗体１の底板部１２側に、バネ上端を基部３０ｂの凹所３０ｇにおける抽斗体１の引き出し前端側１４にある縁部に、それぞれ押し当てさせた状態でバネ巻回部を弾性変形させて前記円柱状部３０ｈに備えさせられており、（図１２および図１３）抽斗体１を引き出しきった位置においてこのバネ巻回部を拡大させるように弾発して主ホルダ体３０を斜めに立ち上げさせるようにしてある。（図１２）
【００４２】
抽斗体１を引き出しきった状態から、抽斗体１の前板部１３を利用して抽斗体１を押し込み操作すると、斜めに立ち上がっている主ホルダ体３０の基部３０ｂの上面であって後述するアーム体３１の回動組み付け位置と主ホルダ体３０の回動組み付け位置との間にある部分が収納体２の引き出し開放部２２を巡る上縁部２２ａに突き当てられ、主ホルダ体３０はこの押し込み操作に伴って再び前記ねじりコイルバネ４０の付勢に抗しながら伏倒される。
【００４３】
（アーム体３１）
アーム体３１は、この実施の形態にあっては、
（１）左右一対の腕部３１ｂ、３１ｂと、
（２）このアーム体３１が所定の位置まで起立した状態で、このアーム体３１の上側となる側において、前記左右一対の腕部３１ｂ、３１ｂ間に亘るように設けられた横板部３１ｃとを備えている。
【００４４】
そして、かかるアーム体３１は、前記腕部３１ｂの下端において主ホルダ体３０に回動可能に組み付けられている。
【００４５】
具体的には、この実施の形態にあっては、主ホルダ体３０の基部３０ｂにおけるこの基部３０ｂとＵ字状部３０ｃと連接箇所近傍に形成された左右の凹部３０ｉにそれぞれ前記一対の腕部３１ｂ、３１ｂの下端を入れ込ませると共に、この腕部３１ｂの下端に形成された軸穴３１ｅとこの凹部３０ｉの側壁に形成された軸穴３０ｊとにシャフト３１ｆを差し通すことによって、主ホルダ体３０にアーム体３１を回動可能に組み付けさせている。
【００４６】
また、この実施の形態にあっては、アーム体３１の回動は、アーム体３１の下面を主ホルダ体３０の上面に沿わせた伏倒位置から、このアーム体３１の腕部３１ｂにおける前記シャフト３１ｆによる回動組み付け位置と腕部３１ｂの下端との間の箇所が前記凹部３０ｉにおける抽斗体１の引き出し前端側１４にある凹部３０ｉ内面に突き当てられる位置までの間でなされるようにしてあり、（図１１参照）収納体２への抽斗体１の収納状態において伏倒されている主ホルダ体３０の上面に下面を沿わせるように伏倒されているアーム体３１はこの抽斗体１の引き出し操作に伴って前記第二の付勢手段５によって主ホルダ体３０の上面に対しほぼ８０度の角度をなすように回動起立されるようになっている。
【００４７】
また、この実施の形態にあっては、主ホルダ体３０の基部３０ｂに形成された左右凹部３０ｉ、３０ｉのうちの一方の凹部３０ｉ（図１６における下側に位置される凹部３０ｉ）を基準とした内側方に上側において外方に開放されたバネの収容空所３０ｋが形成してある。
【００４８】
そして、この実施の形態にあっては、かかる収容空所３０ｋを通る前記シャフト３１ｆをバネ巻回部の内側に納め入れるようにして備えさせられたねじりコイルバネ５０によって、抽斗体１の引き出し操作に伴ってアーム体３１が立ち上がるようにしている。すなわち、この実施の形態にあっては、かかるねじりコイルバネ５０が前記第二の付勢手段５として機能するようにしてある。
【００４９】
具体的には、この実施の形態にあっては、このねじりコイルバネ５０は、バネ一端を主ホルダ体３０の収容空所３０ｋの底部に押し当てさせると共に、バネ他端をアーム体３１の腕部３１ｂの一方の下端に止着させた状態で、バネ巻回部を弾性変形させるように備えさせられており、（図１０）抽斗体１を引き出しきった位置においてこのバネ巻回部を拡大させるように弾発してアーム体３１を立ち上げさせるようにしてある。
【００５０】
抽斗体１を引き出しきった状態から、抽斗体１の前板部１３を利用して抽斗体１を押し込み操作すると、立ち上がっているアーム体３１における抽斗体１の引き出し後端側１５に向けられた面であって、このアーム体３１の回動組み付け位置よりも上方に位置される部分が収納体２の引き出し開放部２２を巡る上縁部２２ａに突き当てられ、アーム体３１はこの押し込み操作に伴って再び前記ねじりコイルバネ５０の付勢に抗しながら伏倒される。
【００５１】
（副ホルダ体３２）
副ホルダ体３２は、この実施の形態にあっては、アーム体３１の左右腕部３１ｂ、３１ｂの上端間に納まる幅を備えた略方形の板状をなすように構成してある。
【００５２】
そして、かかる副ホルダ体３２は、その一辺部３２ａにおいてアーム体３１に回動可能に組み付けられている。
【００５３】
具体的には、この実施の形態にあっては、アーム体３１の左右腕部３１ｂ、３１ｂの上端と横板部３１ｃの上縁との間に副ホルダ体３２の一辺部３２ａの納め入れ空間３１ｇが形成してある。
【００５４】
そして、この納め入れ空間３１ｇに副ホルダ体３２の一辺部３２ａを入れ込ませると共に、この納め入れ空間３１ｇに臨む腕部３１ｂの上端に形成された軸穴３１ｈと、このように入れ込まれる一辺部３２ａとこの一辺部３２ａに隣り合う左右辺部との接し合うコーナー部にそれぞれ形成された軸受け突部３２ｂに設けられた軸穴３２ｃとにシャフト３２ｄを差し通すことによって、アーム体３１に副ホルダ体３２を回動可能に組み付けさせている。かかる軸受け突部３２ｂは、副ホルダ体３２の両面のうち、起立状態にあるアーム体３１における抽斗体１の引き出し前端側１４に向けられた面３１ａに向き合う面（以下、この側にある副ホルダ体３２の面を副ホルダ体３２の背面３２ｅと称し、また、この背面３２ｅと反対の副ホルダ体３２の面を副ホルダ体３２の前面３２ｆと称する。）側に形成されている。
【００５５】
また、この実施の形態にあっては、副ホルダ体３２の背面３２ｅであって、左右の前記軸受け突部３２ｂ、３２ｂの側方にそれぞれ、前記一辺部３２ａに沿った回動規制リブ３２ｇが形成されている。
【００５６】
そして、この実施の形態にあっては、副ホルダ体３２の回動は、副ホルダ体３２の背面３２ｅをアーム体３１における抽斗体１の引き出し前端側１４に向けられる面３１ａに沿わせた未回動位置から、この副ホルダ体３２の回動規制リブ３２ｇがアーム体３１の横板部３１ｃにおける上縁部に形成された突き出し部３１ｄに突き当てられる位置までの間でなされるようにしてあり、収納体２への抽斗体１の収納状態において伏倒されているアーム体３１と抽斗体１の上面１０（つまり、抽斗体１の底板部１２の上面）との間に納まるように背面３２ｅをアーム体３１の前記面３１ａに近接させた副ホルダ体３２は、この抽斗体１の引き出し操作に伴って前記第三の付勢手段６によって起立位置にあるアーム体３１の前記面３１ａに対し、この実施の形態にあっては、ほぼ６０度の角度をなすように前記面３１ａから離れ出す向きに回動されるようになっている。
【００５７】
また、この実施の形態にあっては、副ホルダ体３２の一辺部３２ａに形成された左右の回動規制リブ３２ｇ、３２ｇの間において、前記シャフト３２ｄをバネ巻回部６３の内側に納め入れるようにして備えさせられたねじりコイルバネ６０によって、抽斗体１の引き出し操作に伴って副ホルダ体３２が前記のように回動されるようにしている。すなわち、この実施の形態にあっては、かかるねじりコイルバネ６０が前記第三の付勢手段６として機能するようにしてある。
【００５８】
具体的には、この実施の形態にあっては、このねじりコイルバネ６０は、バネ一端６１をアーム体３１の横板部３１ｃに形成させた溝３１ｉの溝底に押し当てさせると共に、バネ他端６２を副ホルダ体３２の背面３２ｅ側に形成させた溝３２ｈの溝底に押し当てさせた状態で、バネ巻回部６３を弾性変形させるように備えさせられるものとされており、（図１９）アーム体３１が起立方向に回動されると同時にこのバネ巻回部６３を拡大させるように弾発して副ホルダ体３２を前記のように回動させるようにしてある。
【００５９】
そして、この実施の形態にあっては、抽斗体１の収納体２からの引き出し状態において、主ホルダ体３０の保持空所３０ａへの飲料容器Ｙの受け入れに伴って飲料容器Ｙの側部Ｙａに前記第三の付勢手段６の付勢によって副ホルダ体３２が押し当てられる構成としてある。
【００６０】
すなわち、この実施の形態にあっては、収納体２からの抽斗体１の引き出し操作に伴って前記第二の付勢手段５によって起立されるアーム体３１における抽斗体１の引き出し前端側１４に向けられた面３１ａから離れる向きに前記第三の付勢手段６によって副ホルダ体３２を回動させる構成としてあると共に、このように回動される副ホルダ体３２の前面３２ｆを水平に近い向きに配させるように、副ホルダ体３２の先端３２ｉ側（つまり、前記一辺部３２ａに対向する他辺部側）を主ホルダ体３０の保持空所３０ａ側に突き出させる構成としてある。
【００６１】
そして、前記主ホルダ体３０の保持空所３０ａへの上方からの飲料容器Ｙの受け入れに伴って、先ず、副ホルダ体３２の前面３２ｆに飲料容器Ｙの底部あるいは底部側の側部Ｙａが突き当てられると共に、この突き当たりによって前記第三の付勢手段６の付勢に抗して副ホルダ体３２がその背面３２ｅをアーム体３１に近付ける向きに回動され、この副ホルダ体３２の回動によって主ホルダ体３０の保持空所３０ａへの飲料容器Ｙの受け入れをなすようにしてある。
【００６２】
（機能）
この実施の形態にかかるカップホルダ装置は、以上の構成を備えることから、
（１）抽斗体１を引き出し操作することに伴って、第一の付勢手段４によって主ホルダ体３０を、この主ホルダ体３０における抽斗体１の引き出し前端側１４にある端部を上昇させる向きに、回動させることができる。
（２）また、このように抽斗体１を引き出し操作することに伴って、第二の付勢手段５によってアーム体３１を、所定の起立位置まで回動させることができる。
（３）また、抽斗体１を引き出し操作することに伴って起立されたアーム体３１における抽斗体１の引き出し前端側１４に向けられた面３１ａから離れ出す向きに、第三の付勢手段６によって副ホルダ体３２を回動させることができる。
（４）アーム体３１は、主ホルダ体３０における抽斗体１の引き出し後端側１５において主ホルダ体３０に組み付けられており、かつ、抽斗体１の引き出し操作に伴って起立されて、アーム体３１における抽斗体１の引き出し前端側１４に向けられた面３１ａと主ホルダ体３０における抽斗体１の引き出し前端側１４にある保持空所３０ａの内側部３０ｍとの間に前記第二の付勢手段５によって常時一定の間隔を形成する。そして、副ホルダ体３２は、このように起立されたアーム体３１における抽斗体１の引き出し前端側１４に向けられた面３１ａから前記第三の付勢手段６によって常時離れ出す向きに付勢されると共に、主ホルダ体３０の保持空所３０ａへの飲料容器Ｙの受け入れに伴って飲料容器Ｙの側部Ｙａに第三の付勢手段６の付勢によって副ホルダ体３２が押し当てられるように主ホルダ体３０の保持空所３０ａ内に突き出される。
（５）これにより、この実施の形態にあっては、保持空所３０ａに対し上方から受け入れられる飲料容器Ｙを、このように受け入れられる飲料容器Ｙの底に突き当てられる抽斗体１の上面１０と、この受け入れに伴ってこのように受け入れられる飲料容器Ｙによって前記第三の付勢手段６の付勢に抗する向きに回動された状態でこの飲料容器Ｙの側部Ｙａに押し当てられる副ホルダ体３２と、主ホルダ体３０における抽斗体１の引き出し前端側１４にある保持空所３０ａの内側部３０ｍとによって、起立状態で安定的に支持することができる。
（６）すなわち、この実施の形態にかかるカップホルダー装置によれば、副ホルダ体３２が第三の付勢手段６によって前記抽斗体１の引き出し状態において常時上向きに付勢されていることから、保持空所３０ａの上方から、この保持空所３０ａ内にこの副ホルダ体３２を第三の付勢手段６の付勢に抗する向きに押し込ませながらスムースに飲料容器Ｙを入れ込ませることができる。また、外径の異なる各種の飲料容器Ｙを、それぞれ適切に保持することができる。（図２ないし図４）
【００６３】
また、この実施の形態にあっては、抽斗体１の収納体２からの引き出し状態において、副ホルダ体３２の先端３２ｉ部と、抽斗体１の引き出し前端側１４にある主ホルダ体３０の保持空所３０ａの内側部３０ｍとが、ほぼ同じ高さに位置されるようにしてある。
【００６４】
この結果、この実施の形態にあっては、保持空所３０ａに上方から受け入れられる飲料容器Ｙを、抽斗体１の引き出し前端側１４と引き出し後端側１５とにおいてほぼ同じ位置前後から挟み付けることができ、飲料容器Ｙを安定的に保持することができる。
【００６５】
また、この実施の形態にあっては、抽斗体１の引き出し状態において起立されたアーム体３１と副ホルダ体３２とがなす角度αが、引き出し状態にある抽斗体１を収納体２に押し込み操作することに伴って収納体２の引き出し開放部２２に突き当たってアーム体３１が伏倒された際に、第三の付勢手段６の付勢に抗する向きに副ホルダ体３２を回動させるようにこの副ホルダ体３２の先端３２ｉ部を抽斗体１の上面１０に突き当てさせる角度としてある。（図５、図９）
【００６６】
具体的には、この実施の形態にあっては、前記抽斗体１の押し込み操作に伴って起立状態にあるアーム体３１が倒し込まれた際に、このように倒し込まれたアーム体３１と副ホルダ体３２とのなす角度αが、抽斗体１の引き出し後端側１５において鋭角となるようにしてある。
【００６７】
この結果、この実施の形態にあっては、引き出し状態にある抽斗体１を押し込み操作することに伴って、伏倒されるアーム体３１と抽斗体１の上面１０との間に副ホルダ体３２が納められるように、前記第三の付勢手段６の付勢に抗する向きに副ホルダ体３２をスムースに回動させることができる。
【００６８】
なお、この実施の形態にあっては、抽斗体１の押し込み操作に伴って抽斗体１の上面１０に突き当てられる副ホルダ体３２の先端３２ｉ部に、アーム体３１に向き合う側を湾曲内側とするように湾曲された湾曲面部３２ｊが形成されており、抽斗体１の上面１０にこの湾曲面部３２ｊによって副ホルダ体３２が突き当てられて前記第三の付勢手段６の付勢に抗する向きによりスムースに副ホルダ体３２が回動されるようにしてある。
【００６９】
また、この実施の形態にあっては、収納体２への抽斗体１の収納状態において、前記副ホルダ体３２は、前記主ホルダ体３０の保持空所３０ａ内に入り込んだ状態で、第三の付勢手段６の付勢に抗する向きに回動されて、伏倒されたアーム体３１と抽斗体１の上面１０との間に納められるようにしてある。（図１５）
【００７０】
【発明の効果】
この発明にかかるカップホルダー装置によれば、副ホルダ体が第三の付勢手段によって前記抽斗体の引き出し状態において常時上向きに付勢されていることから、保持空所の上方から、この保持空所内にこの副ホルダ体を第三の付勢手段の付勢に抗する向きに押し込ませながらスムースに飲料容器を入れ込ませることができる。また、外径の異なる各種の飲料容器を、それぞれ適切に保持することができる。
【図面の簡単な説明】
【図１】カップホルダー装置の使用状態を示す斜視図
【図２】カップホルダー装置の使用状態を示す斜視図
【図３】カップホルダー装置の使用状態を示す斜視図
【図４】カップホルダー装置の使用状態を示す斜視図
【図５】同側面図（抽斗体１の引き出し状態）
【図６】同側面図（図５の左側から見た状態）
【図７】同平面図
【図８】図７におけるＡ−Ａ線断面図
【図９】図７におけるＢ−Ｂ線断面図
【図１０】図７におけるＣ−Ｃ線断面図
【図１１】図７におけるＤ−Ｄ線断面図
【図１２】図７におけるＥ−Ｅ線断面図
【図１３】カップホルダー装置の要部断面図（抽斗体１の収納状態）
【図１４】カップホルダー装置の平面構成図（抽斗体１の収納状態）
【図１５】図１４におけるＦ−Ｆ線断面図
【図１６】主ホルダ体３０とアーム体３１との分離斜視図
【図１７】主ホルダ体３０の斜視図（図１６における主ホルダ体３０を裏面側から見た斜視図）
【図１８】主ホルダ体３０の平面図
【図１９】アーム体３１と副ホルダ体３２との分離斜視図
【図２０】アーム体３１と副ホルダ体３２との分離側面図
【図２１】図２０におけるＧ−Ｇ線断面図
【符号の説明】
１  抽斗体
１０  上面
１４  引き出し前端側
１５  引き出し後端側
２  収納体
２０  上部
３  ホルダ手段
３０  主ホルダ体
３０ａ  保持空所
３１  アーム体
３１ａ  面
３２  副ホルダ体
４  第一の付勢手段
５  第二の付勢手段
６  第三の付勢手段
Ｙ  飲料容器
Ｙａ  側部
【図１】
0004679008.tif 000002
【図２】
0004679008.tif 000003
【図３】
0004679008.tif 000004
【図４】
0004679008.tif 000005
【図５】
0004679008.tif 000006
【図６】
0004679008.tif 000007
【図７】
0004679008.tif 000008
【図８】
0004679008.tif 000009
【図９】
0004679008.tif 000010
【図１０】
0004679008.tif 000011
【図１１】
0004679008.tif 000012
【図１２】
0004679008.tif 000013
【図１３】
0004679008.tif 000014
【図１４】
0004679008.tif 000015
【図１５】
0004679008.tif 000016
【図１６】
0004679008.tif 000017
【図１７】
0004679008.tif 000018
【図１８】
0004679008.tif 000019
【図１９】
0004679008.tif 000020
【図２０】
0004679008.tif 000021
【図２１】
0004679008.tif 000022